(57)【要約】      （修正有）【課題】距離計測機能付パターのグリップに設ける目盛として、計測が容易でデザイン的にイメージを損なうことのない構造を有したパターを提供する。【解決手段】目盛の３０ｃｍ、４０ｃｍ・・・・と言った１０ｃｍ単位の位置に、例えば三角形、四角形、五角形もしくはその複合体の図形で表現し、目盛全体を簡素化する。五角形の様に正確な目盛位置が分かり難い図形には、中心位置に点もしくは線分を含ませて計測し易くする。またそれぞれの小図形は左右対称もしくは点対称に構成して、プレーヤの利き目に関係無く読み易くする。【選択図】図３
0003148837.tif 000002
【実用新案登録請求の範囲】
【請求項１】
グリップ終端部もしくはその周辺に設けた貫通穴を基準に、シャフト部にかけて或る間隔毎に目盛りを設けたパターのグリップにおいて、
前記目盛には任意形状の小図形を配置して、その形でカップまでの距離数に適したテークバック量を表現する事を特徴とした距離計測機能付パターのグリップ。
【請求項２】
任意形状の小図形の中心部には、点を含む小さな多角形、線分や頂角のどれか１つ以上が含まれている事を特徴とした、請求項１記載の距離計測機能付パターのグリップ。
【請求項３】
任意形状の小図形は左右対称に構成されている事を特徴とした請求項２記載の距離計測機能付パターのグリップ。
【請求項４】
任意形状の小図形は横にした数字で構成され、点対称に２個並べた事を特徴とする請求項２記載の距離計測機能付パターのグリップ。
【考案の詳細な説明】
【技術分野】
【０００１】        本考案はゴルフのパッティングの際に、カップまでの距離とそれに適したパターのテークバック量が読取れる距離計測機能付パターにおいて、単なる数値表示ではないデザインで、計測し易い目盛りの付け方を提供するものである。
【背景技術】
【０００２】        従来の計測方法はボールからカップまでの歩数で測っていたが誤差が大きく、精度良く測るには相当の経験が必要であった。
一方特願２００５−５０４５０４で記載されている方法は、グリーン上のボール位置でパターのグリップ終端を目の高さに合わせて吊り下げ、腕は伸ばしたままカップを見た時の目線とパターの交点位置から、カップまでの距離数を求めるための目盛りをグリップに装着すると同時に、パッティングを振り子として扱い、カップまでの距離を転がすに必要な最適テークバック量を前述の目盛りに記載して、プレーの動きの中で瞬時に読取る手段を提供している。
他方実願２００６−００２０５１ではグリップ目盛の基準位置と目の高さを合わせ易くするために、基準位置に設けた貫通穴の形状やグリップ終端に薄い板を設ける手段を提供している。また目盛についても数値表示に代わって、小図形の数で表現する方法を提供している。
【考案の開示】
【考案が解決しようとする課題】
【０００３】        実願２００６−００２０５１で提供する目盛は、最適テークバック量を小図形の数で判読するものであった為、目盛が複雑になってグリップ全体を簡潔なデザインで表現するには問題があった。
【課題を解決するための手段】
【０００４】        本考案は実願２００６−００２０５１が有する課題を解決するもので、例えばテークバック量  ３０ｃｍ、４０ｃｍ、５０ｃｍ、６０ｃｍ、７０ｃｍ、８０ｃｍ、の節目となる目盛には、図形から３、４、５、６、７、８と言った数値を習慣的に思い浮かべる小図形を採用する。
しかし図形表現には面積を必要とするため、目盛位置が曖昧になる課題を持っている。この解決策として小図形の中央部に目盛位置を示す小さな点（含む  多角形）、線分や頂角等を含ませている。
【考案の効果】
【０００５】        目盛を表現する図形の総数が一挙に減るため、グリップ全体のデザインが簡潔に表現できる。従って空いたスペースには特許Ｎｏ．を記載する等、グリップデザインの表現方法が一挙に拡大する効果がある。
【考案を実施するための最良の形態】
【０００６】        図１は傾斜角θを持ったグリーン上に立って、ボール位置ＢからカップＣまでの距離Ｘを基に、最適なテークバック量をグリップＡの目盛Ｙで読み取る原理を示している。
図２は傾斜したグリーン上で振り子半経Ｒでパッティングをする場合、振り角βのテークバックによって生まれたパター先端の等価重量Ｍの位置エネルギーは、一部が打ったボールｍの運動エネルギーに変換され、そのエネルギーは芝の抵抗μによる摩擦熱とグリーン傾斜角θによる位置エネルギー等に消失する。詳しくは特願２００５−５０４５０４に記載してあるのでここでは省略する。
図３はグリップ１の終端付近に設けた貫通穴２を基準に目盛を設け、テークバック量の最大表記位置から１０ｃｍ刻みに数値を表した小図形（３ａ〜３ｆ）の例を示している。例えばテークバック８０ｃｍは四角形を２つ使った複合体３ａ、７０ｃｍは四角形と点３個を使った複合体３ｂ、６０ｃｍは三角形を２つ使った複合体３ｃ、５０ｃｍは単独の五角形３ｄ、４０ｃｍは四角形３ｅ、３０ｃｍは三角形３ｆにして、これらの図形は全てが左右対称になっている。その理由はプレーヤの利き目に関係無く判読できるためである。しかも目盛の位置が精確に分かるように、図形のほぼ中央線上に１個の点４ａや数個の点列４ｂ、頂角４ｃ等が少なくとも１つ含まれている。
【実施例１】
【０００７】        図４は本考案の全体像を示すもので、各目盛には図３で示す小図形が配置されている。ただしテークバック量２３ｃｍ、２６ｃｍ、３３ｃｍ、３６ｃｍは２０ｃｍ台、３０ｃｍ台の３ｃｍと６ｃｍを意味しているため、それぞれの２箇所は点１個５ａと点２個５ｂで識別している。
またテークバック量４５ｃｍと５５ｃｍは１０ｃｍ間隔の半分を意味しており、それぞれ丸みを持った線分６ａ、６ｂで表現している。同様にテークバック７０ｃｍは６０ｃｍと８０ｃｍの中間を意味しており、小円７で代用している。
【実施例２】
【０００８】        図５は本考案の応用例を示すもので、横にした数字（８ａ〜８ｆ）を点対称に２個並べ、図形の点対称位置を示す点９ａや線分９ｂが目盛の位置をも表現している。
この様にテークバック量を読み取る目盛は必要最小限にして、しかも数値情報は普段の生活環境から習慣的に読み取れる図形にする事で、グリップデザインの可能性を飛躍的に拡大した。
【図面の簡単な説明】
【０００９】
【図１】傾斜を持ったグリーン上での距離計測法を示す原理図
【図２】パッティングの振り子理論  テークバック量とボールの転がり量の関係を示す図
【図３】本考案の目盛を表現するために使う小図形の例
【図４】本考案のグリップ概観図  目盛は１０ｃｍ単位に刻み、そえぞれを小図形で表現する。その中間は点もしくは線分で簡略した形で表現する。
【図５】本考案の応用例で数字をデザイン化した小図形の例
【符号の説明】
【００１０】１．  パターのグリップ
２．  計測用目盛りの基準穴
３．  １０ｃｍ刻みの目盛を表す小図形の例（３ａ〜３ｆ）
４．  小図形のほぼ中心位置を表す点（ａ）、点列（ｂ）、頂角（ｃ）
５．  目盛区間１０ｃｍを３分割した位置を表す点（ａ）と点列（ｂ）
６．  目盛区間１０ｃｍの２分割した位置を表す線分の例
７．  目盛７０ｃｍを表す図形を小円で代替した例
８．  横にした数字を点対称に２個並べた小図形の例（８ａ〜８ｆ）
９．  数字をデザイン化した小図形の中心位置の表示例（９ａ、９ｂ）
Ａ    距離計測時のパターグリップ
Ｂ    グリーン上のボール位置
Ｃ    グリーン上のカップ位置
Ｒ    振り子式パッティングの半経（首付け根支点からパターヘッドまで）
Ｍ    パター先端の等価重量（パター重量、腕重量の複合）
ｍ    ボールの重量
μ    芝の転がり抵抗係数
θ    グリーンの傾斜角
Ｘ    パッティングした時のボールの転がる距離
Ｙ    グリップの目盛り基準位置から目線交差位置までの距離
【図１】
0003148837.tif 000003
【図２】
0003148837.tif 000004
【図３】
0003148837.tif 000005
【図４】
0003148837.tif 000006
【図５】
0003148837.tif 000007